(57)【特許請求の範囲】
【請求項１】
コンクリート躯体の既設鋼製ドア枠面外側端部を斫り具により斫って該既設鋼製ドア枠における各枠部の見付面外側端部をコンクリート躯体から露出させて引掛係合部位を形成する面外側端部斫り工程と，該既設鋼製ドア枠の各枠部を拡開装置によって面内方向に屈曲変形して該枠部毎にそれぞれコンクリート躯体から浮上剥離する各枠部面内方向剥離工程と，該各枠部を浮上剥離した既設鋼製ドア枠をコンクリート躯体から室外側に引出し撤去する既設鋼製ドア枠引出撤去工程とを備え，上記各枠部面内方向剥離工程に用いる拡開装置を，油圧アクチュエータを内蔵し又はこれに接続可能にして握り持ちする握りハンドルと，該握りハンドルの先端に回動自在に軸支固定し軸支側後方にその対向面を相互にＶ字状とするように同一角度に傾斜して摺動傾斜面を具備した一対の拡開爪と，上記摺動傾斜面の位置で該一対の拡開爪をその対向面側に向けて付勢する閉鎖用スプリングと，油圧アクチュエータの作動によって上記握りハンドルから進退自在のピストンと，該ピストンの先端に設置しその進行によって上記一対の拡開爪の摺動傾斜面間をその先端側に向けて進行する摺動傾斜面と同一角度に傾斜した左右対称の傾斜側面を具備した矢尻状の先端具とを備えた拡開装置とし，該拡開装置による上記核枠部面内方向剥離工程を，拡開装置の握りハンドルを握り持ちして一対の拡開爪を上記引掛係合部位のコンクリート躯体と既設鋼製ドア枠における枠部の見付面外側端部との間に挿入して引掛係合し，上記油圧アクチュエータの作動によって上記先端具を上記一対の拡開爪間に進行させ該先端具を摺動傾斜面に摺動させることにより該一対の拡開爪を無段階拡開して該既設鋼製ドア枠の各枠部を面内方向に可及的一気に屈曲変形し該枠部毎にそれぞれコンクリート躯体から浮上剥離する工程としてなることを特徴とする既設鋼製ドア枠除去方法。
【発明の詳細な説明】
【０００１】
【発明の属する技術分野】
本発明はドア改装を行うに際して既設鋼製ドア枠を剥離除去する既設鋼製ドア枠除去方法に関する。
【０００２】
【従来の技術】
この種既設鋼製ドア枠を剥離除去するドア枠除去方法として，例えば特公平５−５７３９６号が知られており，これによれば，挟持装置の一対の挟持爪によって鋼製の既設鋼製ドア枠の枠部を抱持状に挟持して該挟持爪を加圧駆動によって無段階閉鎖して該挟持位置でコンクリート躯体から枠部を長手方向に剥離する剥離工程と，剥離後に既設鋼製ドア枠をコンクリート躯体から室外側に引出撤去する既設鋼製ドア枠撤去工程による除去方法とされる。
【０００３】
【発明が解決しようとする課題】
この場合理論的には既設鋼製ドア枠をコンクリート躯体から除去することが可能となるが，これを実際に用いると，挟持装置の一対の挟持爪によって既設鋼製ドア枠の枠部を剥離することは容易ではなく，剥離のためには該枠部の挟持とその無段階閉鎖による剥離の作業を，既設鋼製ドア枠のアンカー溶接した溶接棒部分のみならず，これらの間を含めて小ピッチに繰返して行う必要があり，作業が煩雑となるとともに作業性が悪く，例えば居住状態のマンション等におけるドア枠改装と新設ドアの設置を，一日に１０軒程度というように同時に多数処理しようとすると，先行作業の既設鋼製ドア枠除去に大幅な時間が掛り，次工程の着手が遅れることによって工事時間が予定より数時間延び，工事が夜間にずれ込む等して，例えば居住者等の苦情要因となっている。
【０００４】
本発明はかかる事情に鑑みてなされたもので，その解決課題とするところは，居住状態のドア枠改装を可及的容易且つ短時間に効率良く行うことによって工事に対する居住者の苦情を解消し得るようにした既設鋼製ドア枠除去方法を提供するにある。
【０００５】
【課題を解決するための手段】
上記課題に添って検討したところ，上記従来の既設鋼製ドア枠に使用する挟持装置の一対の挟持爪は，対向方向に先細状に傾斜した楔状を呈するものとされ，既設鋼製ドア枠の枠部を前後から抱持状に挟持してコンクリート躯体と枠部間に食い込ませて，その食い込み傾斜によって枠部を強制的に浮上剥離するものとされ，挟持装置を手持ちして現場作業を行う軽量化，小型化の必要性から挟持爪の大きさには自ずと限界が生じ，ある程度の大きさのものとせざるを得ないことに上記作業の煩雑さと作業性の悪さの原因があるものと認められる。
【０００６】
上記浮上剥離の構造を維持しながら挟持装置の挟持爪を大きく設定することは困難であるところ，握り持ちした拡開装置を使用することにより，その一対の拡開爪によって既設鋼製ドア枠をコンクリート躯体から浮上剥離するようにするとともに該拡開爪による浮上剥離に先立って，コンクリート躯体の既設鋼製ドア枠面外側端部に斫り具による斫りを施して既設鋼製ドア枠の各枠部における見付面外側端部を露出させた引掛係合部位を形成し，この引掛係合部位の見付面外側端部とコンクリート躯体間に上記一対の拡開爪を挿入してこれらの間に該拡開爪を引掛係合してから該拡開爪を無段階的に拡開することによって，一次的な斫り前工程と二次的な拡開装置による各枠部毎の浮上剥離の後工程とを併用して既設鋼製ドア枠の各枠部を可及的一気に屈曲変形して短時間に効率良く既設鋼製ドア枠をコンクリート躯体から剥ぎ取るように強制除去して，簡易にして確実な強制除去を可能とし得るようにしたものであって，即ち本発明は，これを，コンクリート躯体の既設鋼製ドア枠面外側端部を斫り具により斫って該既設鋼製ドア枠における各枠部の見付面外側端部をコンクリート躯体から露出させて引掛係合部位を形成する面外側端部斫り工程と，該既設鋼製ドア枠の各枠部を拡開装置によって面内方向に屈曲変形して該枠部毎にそれぞれコンクリート躯体から浮上剥離する各枠部面内方向剥離工程と，該各枠部を浮上剥離した既設鋼製ドア枠をコンクリート躯体から室外側に引出し撤去する既設鋼製ドア枠引出撤去工程とを備え，上記各枠部面内方向剥離工程に用いる拡開装置を，油圧アクチュエータを内蔵し又はこれに接続可能にして握り持ちする握りハンドルと，該握りハンドルの先端に回動自在に軸支固定し軸支側後方にその対向面を相互にＶ字状とするように同一角度に傾斜して摺動傾斜面を具備した一対の拡開爪と，上記摺動傾斜面の位置で該一対の拡開爪をその対向面側に向けて付勢する閉鎖用スプリングと，油圧アクチュエータの作動によって上記握りハンドルから進退自在のピストンと，該ピストンの先端に設置しその進行によって上記一対の拡開爪の摺動傾斜面間をその先端側に向けて進行する摺動傾斜面と同一角度に傾斜した左右対称の傾斜側面を具備した矢尻状の先端具とを備えた拡開装置とし，該拡開装置による上記核枠部面内方向剥離工程を，拡開装置の握りハンドルを握り持ちして一対の拡開爪を上記引掛係合部位のコンクリート躯体と既設鋼製ドア枠における枠部の見付面外側端部との間に挿入して引掛係合し，上記油圧アクチュエータの作動によって上記先端具を上記一対の拡開爪間に進行させ該先端具を摺動傾斜面に摺動させることにより該一対の拡開爪を無段階拡開して該既設鋼製ドア枠の各枠部を面内方向に屈曲変形し該枠部毎にそれぞれコンクリート躯体から浮上剥離する工程としてなることを特徴とする既設鋼製ドア枠除去方法とし，これを発明の要旨として上記課題解決の手段としたものである。
【０００７】
【発明の実施の形態】
以下図面の例を参照しながら本発明を更に具体的に説明すれば，Ａはコンクリート躯体，Ｂは，該コンクリート躯体Ａに設置され，図示省略の新設ドア枠を設置するドア枠改装を行うために除去対象とした鋼製の既設鋼製ドア枠であり，既設鋼製ドア枠Ｂの除去は，既設鋼製ドア枠の面外側端部斫り工程，各枠部面内方向剥離工程及び既設鋼製ドア枠引出撤去工程とを備えたものとしてある。
【０００８】
面外側端部斫り工程は既設鋼製ドア枠Ｂ除去における一次工程，枠部面内方向剥離工程は，該面外側端部斫り工程を前工程とする後工程としての二次工程であり，その後に既設鋼製ドア枠撤去工程の三次工程を施すことによって既設鋼製ドア枠Ｂを除去するものとしてある。
【０００９】
面外側端部斫り工程は，コンクリート躯体Ａの既設鋼製ドア枠Ｂ面外側端部を斫り具１０により斫って該既設鋼製ドア枠Ｂにおける各枠部１，２の見付面外側端部をコンクリート躯体Ａから露出させて引掛係合部位を形成する工程とし，枠部面内方向剥離工程は，該既設鋼製ドア枠Ｂの各枠部１，２を拡開装置２０によって面内方向に屈曲変形して該枠部１，２毎にそれぞれコンクリート躯体Ａから浮上剥離する工程とし，既設鋼製ドア枠引出撤去工程は，該各枠部１，２を浮上剥離した既設鋼製ドア枠Ｂをコンクリート躯体Ａから室外側に引出し撤去する工程としてある。
【００１０】
面外側端部斫り工程に用いる斫り具１０は，例えば自動斫り機，手動用ののみやたがねと手ハンマー等を適宜に用いてコンクリート躯体Ａ，特にその仕上げモルタルを破砕除去する斫りを行うことにより，該モルタルに埋め込み状に配置されてこれに一体化している既設鋼製ドア枠Ｂの各枠部１，２の上下の横枠１及び左右の縦枠２をコンクリート躯体のモルタルから分離するとともに該各枠部１，２の見付面が室外側に現れるようにその見付方向端部，即ち既設鋼製ドア枠Ｂの面外側端部をなす見付面外側端部を露出するものとしてある。斫りは，次工程の枠部面内方向剥離工程における後述の拡開爪２２を挿入するための拡開した引掛係合部位を形成するとともに該引掛係合部位に拡開爪２２を引掛係合して各枠部１，２をコンクリート躯体Ａから浮上剥離して既設鋼製ドア枠Ｂを剥ぎ取ることが可能な程度にこれを形成すればよい。このとき該斫りは各枠部１，２の長手方向全長について行うことがもとより可能であるが，一般には長手方向部分的に，各枠部１，２の長さに応じて，例えば１乃至２〜３箇所程度の引掛係合部位を形成するように行えば足りる。
【００１１】
各枠部面内方向剥離工程に用いる拡開装置２０は，これを，一対の拡開爪２２を備えて該一対の拡開爪２２を無段階拡開し得るようにしたものとしてあり，即ち該拡開装置２０は，例えば図５に示すように，油圧アクチュエータ，本例にあっては油圧シリンダーを内蔵し又はこれに接続可能にして握り持ちする握りハンドル２１と，該握りハンドル２１の先端に回動自在に軸支固定し軸支側後方にその対向面を相互にＶ字状とするように同一角度に傾斜して摺動傾斜面２３を具備した一対の拡開爪２２と，上記摺動傾斜面２３の位置で該一対の拡開爪２２をその対向面側に向けて付勢する閉鎖用スプリング２４と，油圧アクチュエータ，本例煮あっては油圧シリンダーの作動によって上記握りハンドル２１から進退自在のピストン２５と，該ピストン２５の先端に設置しその進行によって上記一対の拡開爪２２の摺動傾斜面２３間をその先端側に向けて進行する摺動傾斜面２３と同一角度に傾斜した左右対称の傾斜側面を具備した矢尻状の先端具２６とを備えた拡開装置としてあり，該拡開装置２０による上記核枠部面内方向剥離工程は，これを，拡開装置２０の握りハンドル２１を握り持ちして一対の拡開爪２２を上記引掛係合部位のコンクリート躯体Ａと既設鋼製ドア枠Ｂにおける枠部１，２の見付面外側端部との間に挿入して引掛係合し，上記油圧アクチュエータの作動によって上記先端具２６を上記一対の拡開爪２２間に進行させ該先端具２６を摺動傾斜面２３に摺動させることにより該一対の拡開爪２２を無段階拡開して該既設鋼製ドア枠Ｂの各枠部１，２を面内方向に屈曲変形し該枠部１，２毎にそれぞれコンクリート躯体Ａから浮上剥離する工程としたものとしてある。
【００１２】
本例にあって拡開装置２０は，一対の拡開爪２２の拡開を一気に大幅になし得るに適したものとして構成し易い油圧のもの，特に現場の搬入操作に好適な油圧シリンダーを油圧ポンプの操作によって作動するものとし，本例にあって該油圧シリンダーによる拡開爪２２の拡開力は，これを例えば数トン程度といった強力なものとして，既設鋼製ドア枠Ｂの枠部１，２の上記浮上剥離を単一箇所の拡開又は複数箇所の拡開，好ましくは単一箇所の拡開によって，可及的容易且つ一気になし得るようにしてある。一対の拡開爪２２は，本例にあって上記握りハンドル２１に突設した左右に一対にしてそれぞれ上下の突片間に端部を挿入軸支して回動自在の軸支固定を行ってあり，このとき拡開爪２２は，平面を平行四辺形乃至その類似形状とし，その鋭角側先端部の一方を軸支固定し，他方を上記部分的浮上剥離した枠部１，２に対する鋭角の挿入部とすることによって，一対の拡開爪２２，特にその軸支側後方に拡開するようにその対向する側面を同一角度に傾斜して摺動傾斜面２３とし，該対向する摺動傾斜面２３によって一対の拡開爪２２の軸支側後方に平面Ｖ字状の空隙を形成する一方，上記矢尻状の先端具２６を該Ｖ字状の空隙と同一傾斜角度のＶ字側面を有する三角ブロックの矢尻状に形成することによって，上記空隙に該先端具２６を面接して嵌合し得るようにしてあり，一対の拡開爪２２の閉鎖状態で該先端具２６を該空隙に面接嵌合するようにピストン２５の先端に設置することによって，ピストン２５が進行して該先端具２６が先端側に繰出し進行するのに伴って，該先端具２６のブロック厚さに応じて左右後端頂点位置の垂直線部分が摺動押圧部として上記摺動傾斜面２３を摺動してこれを押圧し，該押圧によって一対の拡開爪２２をそれぞれ軸支部分を中心にして同時に強制回動してこれを強制的に拡開し，上記挟持装置１０によって部分的に浮上剥離した浮上剥離部分に挿入した鋭角の挿入部を拡開することによって該部分の浮上剥離を更に拡大し，枠部１，２を大きく屈曲変形してその長手方向全体的な浮上剥離を自在としてある。このとき先端具２６の繰出し進行は，油圧アクチュエータの作動，本例にあっては油圧シリンダーの作動によるものとしたピストン２５の先端に設置した三角ブロック状としたことによって，鋭角の挿入部の拡開が無段階的になされ，枠部１，２に対して拡開力がブロック厚さの面乃至線接触状態で均一に作用することにより該枠部１，２が好ましい屈曲変形の浮上剥離を行うことができ，例えば枠部１，２が拡開途中で破断し，既設鋼製ドア枠Ｂの除去が煩雑化するようなトラブルもないものとしてある。
【００１３】
本例にあって一対の拡開爪２２（鋭角の挿入部）の最大拡開幅は，例えば１０ｃｍ程度とし，該一対の拡開爪２２の拡開によってコンクリート躯体Ｂから既設鋼製ドア枠Ｂを完全に浮上剥離するのに充分な幅を確保したものとしてあり，このように１０ｃｍ程度の拡開幅を備えた拡開装置２０を用いることによって枠部１，２毎に１回の拡開作業，多くても２〜３回程度の拡開作業によって上記完全な浮上剥離を行うことができるようにしてある。
【００１４】
この拡開装置２０を用いた既設鋼製ドア枠Ｂの浮上剥離は，スプリング２４の付勢力によって閉鎖した状態の一対の拡開爪２２を既設鋼製ドア枠Ｂの枠部１，２の各見付方向端部とコンクリート躯体Ａの斫りによる引掛係合部位間に挿入して油圧シリンダーを作動しその無段階拡開を行うことによって，一対の拡開爪２２がコンクリート躯体Ａから既設鋼製ドア枠Ｂの各枠部１，２を面内方向に持上げるように作用して，例えばアンカー乃至その溶接部分の破断等を伴って，該既設鋼製ドア枠Ｂの各枠部１，２を面内方向，即ちドア枠の開口面側に屈曲変形してその浮上剥離を行うに至る。
【００１５】
このとき既設鋼製ドア枠Ｂの各枠部１，２がコンクリート躯体Ｂから剥ぎ取られるように浮上剥離する結果，コンクリート躯体Ａには斫りによる引掛係合部位以外に殆ど損傷が生じることがなく，従ってドア枠改装に際してコンクリート躯体Ａに予想外の補修工事等が必要となることもない。
【００１６】
各枠部１，２をそれぞれコンクリート躯体Ｂから浮上剥離した後に，既設ドア引出撤去工程として，各枠部１，２が面内方向に屈曲変形した既設鋼製ドア枠Ｂを室外側に引出撤去するようにすればよく，これによって既設鋼製ドア枠Ｂはコンクリート躯体Ａから除去を完了することができる。従って該既設鋼製ドア枠Ｂの除去後に，そのコンクリート躯体に対して常法に従って新設ドア枠を設置し，該新設ドア枠に新設ドアを開閉自在に配置することによってドア改装を行うようにすればよく，このとき新設ドアを断熱性，防音性等に優れたものとすることによって，マンション等の玄関ドアとして好適なドア改装を可及的容易且つ短時間に，例えば１日に１フロアの１０軒程度の改装を各住戸に人が居住した状態のまま行うことが可能となり，工事に対する居住者の苦情を解消するに止まらず居住者から歓迎されるドア改装工事とすることができる。
【００１７】
図中２７は拡開装置２０の拡開爪２２を軸支した軸，２８はスプリング２４によって閉鎖して作業者の手を挟む危険を解消するように一方の拡開爪２２に軸支して他方の拡開爪２２との間に間隔を形成する一方，作業終了後には拡開爪２２の閉鎖を妨げないように収容可能に設置した回動プレートである。
【００１８】
図示した例は以上のとおりとしたが，既設鋼製ドア枠の除去に際して室内側の壁紙等内装仕上材，例えばカッターによる既設鋼製ドア枠に沿う切り込みを入れることによって既設鋼製ドア枠の除去による室内側内装の破損を可及的に抑制防止するようにすることが好ましく，これによりドア改装に玄関内装工事を包含するといったドア改装に伴う付随工事を可及的に減少できる。これを含めては本発明の実施に当って既設鋼製ドア枠，枠部，斫り具，拡開装置，拡開爪，既設鋼製ドア枠の面外側端部斫り工程，各枠部面内方向剥離工程，既設鋼製ドア枠引出撤去工程等の各具体的形状，構造，材質，方法，手順，これらの関係，これらに対する付加等は上記発明の要旨に反しない限り様々な形態のものとすることができる。
【００１９】
【発明の効果】
本発明は以上のとおりに構成したから，握り持ちした拡開装置を使用することにより，その一対の拡開爪によって既設鋼製ドア枠をコンクリート躯体から浮上剥離するようにするとともに該拡開爪による浮上剥離に先立って，コンクリート躯体の既設鋼製ドア枠面外側端部に斫り具による斫りを施して既設鋼製ドア枠の各枠部における見付面外側端部を露出させた引掛係合部位を形成し，この引掛係合部位の見付面外側端部とコンクリート躯体間に上記一対の拡開爪を挿入してこれらの間に該拡開爪を引掛係合してから該拡開爪を無段階的に拡開することによって，一次的な斫り前工程と二次的な拡開装置による各枠部毎の浮上剥離の後工程とを併用して既設鋼製ドア枠の各枠部を可及的一気に屈曲変形して短時間に効率良く既設鋼製ドア枠をコンクリート躯体から剥ぎ取るように強制除去して，簡易にして確実な強制除去を可能とし，居住状態のドア枠改装を可及的容易且つ短時間に効率良く行うことによって工事に対する居住者の苦情を解消し得るようにした既設鋼製ドア枠除去方法を提供することができる。
【図面の簡単な説明】
【図１】  斫り具によるモルタルの斫り状態を示す断面図である。
【図２】  拡開装置による枠部浮上剥離の状態を示す上枠又は側枠部分の断面図である。
【図３】  拡開装置による枠部浮上剥離の状態を示す下枠部分の断面図である。
【図４】  浮上剥離した既設鋼製ドア枠の正面図である。
【図５】  拡開装置の正面図である。
【符号の説明】
Ａ  コンクリート躯体
Ｂ  既設鋼製ドア枠
１  上枠
２  側枠
３  下枠
１０  斫り具
２０  拡開装置
２２  拡開爪
【図１】
0003718196.tif 000002
【図２】
0003718196.tif 000003
【図３】
0003718196.tif 000004
【図４】
0003718196.tif 000005
【図５】
0003718196.tif 000006